(57)【要約】【課題】より実体験的な擬似旅行体験を実現することのできる擬似旅行体験システムを提供する。【解決手段】出発地と目的地の入力をもとにネットワーク上にあるサイトの情報や、コンテンツサーバ６０のコンテンツ、ライブカメラ４０のライブ映像を旅行が経過するのと同じようにサーバ装置３０からユーザ端末装置１０に出力することによって、ユーザは表示部１８に表示される画像等のコンテンツを閲覧しつつ、自宅等に居ながらにして旅行に出たかのような擬似旅行を体験することができる。【選択図】図１
2007156562.tif 000002
【特許請求の範囲】
【請求項１】
出発地と目的地を入力する入力部を備えた端末装置と、
前記端末装置によって入力された前記出発地と前記目的地との間の経路に関連するコンテンツを前記出発地から前記目的地への擬似移動に応じた順序で提供するサーバ装置と、
前記端末装置と前記サーバ装置とを接続するネットワークとを有することを特徴とする擬似旅行体験システム。
【請求項２】
出発地と目的地を入力する入力部を備えた端末装置と、
前記端末装置によって入力された前記出発地と前記目的地との間の経路に関連する内容で予め前記出発地から前記目的地への擬似移動に応じて前記内容が時系列に配列されたコンテンツを提供するサーバ装置と、
前記端末装置と前記サーバ装置とを接続するネットワークとを有することを特徴とする擬似旅行体験システム。
【請求項３】
出発地と目的地を入力する入力部と、前記目的地で双方向の通信を実現する通信部とを備えた第１の端末装置と、
前記第１の端末装置によって入力された前記出発地と前記目的地との間の経路に関連するコンテンツを前記出発地から前記目的地への擬似移動に応じた順序で提供するサーバ装置と、
前記コンテンツの再生に応じて第１の端末装置と双方向の通信を行う通信部とを備えた第２の端末装置と、
前記第１および前記第２の端末装置と前記サーバ装置とを接続するネットワークとを有することを特徴とする擬似旅行体験システム。
【発明の詳細な説明】
【技術分野】
【０００１】
本発明は、インターネット等の通信ネットワークを介して伝送されるコンテンツデータに基づいて擬似的な旅行を体験することのできる擬似旅行体験システムに関し、特に、より実体験的な擬似旅行体験を実現することのできる擬似旅行体験システムに関する。
【背景技術】
【０００２】
近年、インターネットを利用した通信サービスの多様化が進み、パソコン、携帯電話、そして最近ではデジタルテレビをインターネットへ接続することにより、世界各地から発信されるＷｅｂ情報や写真コンテンツを閲覧したり、更には映像コンテンツを視聴することが可能になってきている。また、ここ数年では光ファイバ回線やＡＤＳＬ（Asymmetric Digital Subscriber Line）回線の普及により、高精細で動画性の高いリアルタイム映像を視聴することができる。これらのコンテンツを視聴するには、一般的に検索サイトからキーワード等を入力して検索を実行し、その結果一覧表示されるＵＲＬ（Uniform Resource Locator）情報を基にコンテンツへアクセスする方式がある。
【０００３】
このようなインターネットの利便性に基づいて、ネットワーク上に必要な情報を収集して表示するサービスが提案されており、そのひとつに案内に関する情報を表示するものがある。例えば、目的地までの道案内をパーソナルコンピュータ（ＰＣ）等のディスプレイに表示する案内情報提示装置がある（例えば、特許文献１参照。）。
【０００４】
特許文献１に記載された案内情報提示装置は、ＰＣ上でテキスト情報や画像データを含む案内用スクリプトを実行させることにより、ＰＣの表示部に行き先までの道案内が表示される。また、移動に伴い、現在地点が経路上で移動して表示される。
【特許文献１】特開２０００−２１５２１１号公報
【発明の開示】
【発明が解決しようとする課題】
【０００５】
しかし、特許文献１に記載された発明によると、道案内を主としてユーザの要望に沿った有意義な情報を提供するものであるため、行き先を漠然としか決めていないような状況でユーザに旅行に出かける気分を喚起させることが難しい。また、実際には旅行に出なくとも旅行気分を味わいたいという場合や、旅行を計画する段階で情報を整理して組み立てをしたい場合に実際的な擬似旅行体験が役立つと考えられる。
【０００６】
従って、本発明の目的は、より実体験的な擬似旅行体験を実現することのできる擬似旅行体験システムを提供することにある。
【課題を解決するための手段】
【０００７】
本発明は、上記の目的を達成するため、出発地と目的地を入力する入力部を備えた端末装置と、前記端末装置によって入力された前記出発地と前記目的地との間の経路に関連するコンテンツを前記出発地から前記目的地への擬似移動に応じた順序で提供するサーバ装置と、前記端末装置と前記サーバ装置とを接続するネットワークとを有することを特徴とする擬似旅行体験システムを提供する。
【０００８】
また、本発明は、上記の目的を達成するため、出発地と目的地を入力する入力部を備えた端末装置と、前記端末装置によって入力された前記出発地と前記目的地との間の経路に関連する内容で予め前記出発地から前記目的地への擬似移動に応じて前記内容が時系列に配列されたコンテンツを提供するサーバ装置と、前記端末装置と前記サーバ装置とを接続するネットワークとを有することを特徴とする擬似旅行体験システムを提供する。
【０００９】
また、本発明は、上記の目的を達成するため、出発地と目的地を入力する入力部と、前記目的地で双方向の通信を実現する通信部とを備えた第１の端末装置と、前記第１の端末装置によって入力された前記出発地と前記目的地との間の経路に関連するコンテンツを前記出発地から前記目的地への擬似移動に応じた順序で提供するサーバ装置と、前記コンテンツの再生に応じて第１の端末装置と双方向の通信を行う通信部とを備えた第２の端末装置と、前記第１および前記第２の端末装置と前記サーバ装置とを接続するネットワークとを有することを特徴とする擬似旅行体験システムを提供する。
【発明の効果】
【００１０】
本発明によれば、より実体験的な擬似旅行体験を実現することができる。
【発明を実施するための最良の形態】
【００１１】
（第１の実施の形態）
図１は、本発明の第１の実施の形態に係る擬似旅行体験システムを示すブロック図である。
【００１２】
（コンテンツ転送システムの構成）
この擬似旅行体験システム１は、ユーザ端末装置１０と、ネットワーク２０と、サーバ装置３０と、ライブカメラ４０と、ライブカメラデータベース５０と、コンテンツサーバ６０とを有して構成されている。
【００１３】
ユーザ端末装置１０は、例えば、ＰＣ、情報携帯端末等のネットワーク接続可能な端末装置であり、ユーザによる入力操作を行うためのマウス、キーボード、ポインタ等の入力部１１と、ユーザの音声を入力するマイクロホン、及び音声出力用のスピーカ等の音声入出力部１２と、ユーザの姿を撮影するためのカメラ部１３と、擬似旅行を行うにあたって設定されるスケジュールを設定するスケジュール設定部１４と、ユーザの入力した情報に基づいてルート検索や交通手段の使い分けに関する情報を検索する行程検索部１５と、外部と通信するための通信インターフェースである通信部１６と、ユーザ端末装置１０を動作させるのに必要なプログラムおよびスケジュールデータ、擬似旅行の行程データ等の種々のデータを格納する記憶部１７と、入力情報やコンテンツ等の内容に応じた画像を表示する表示部１８を有する。
【００１４】
（各部の構成）
ネットワーク２０は、接続可能な端末の種類、台数、情報量、および汎用性からインターネットが選択される。
【００１５】
スケジュール設定部１４は、ユーザによって入力部１１から入力される出発地についてのデータ、目的地（行き先）についてのデータに基づいて出発地から目的地までの実施可能なルートおよび所要時間、日数等のスケジュールを設定する。
【００１６】
行程検索部１５は、ユーザによって入力された出発地と行き先との間に存在する経由地、交通手段の種類、交通手段の使い分け等の情報を検索し、スケジュール設定部１４に出力する。
【００１７】
通信部１６は、インターネットで用いられる通信プロトコルに基づいて外部のデバイスとのデータ通信を行うものである。
【００１８】
表示部１８は、行き先や、目的地といったユーザ操作画面、擬似旅行の行程における風景等の画像を画面表示する液晶パネル等の表示デバイスである。
【００１９】
サーバ装置３０は、ユーザに擬似旅行を提供するためのプログラムを保有し、ユーザ端末装置１０からＵＲＬ（Uniform Resource Locator）を入力することにより接続要求があると、保有されているプログラムに基づいてユーザに擬似旅行を提供する。また、サーバ装置３０はユーザ端末装置１０から入力される情報に基づいて後述するライブカメラデータベース５０や、コンテンツサーバ６０へのアクセス制御を行う。サーバ装置３０の管理については擬似旅行サービスを提供する管理者が行う。
【００２０】
ライブカメラ４０は、サーバ装置３０から入力する操作信号に基づいて世界中の多数の場所に設置されたものの中から適切なものが選択される。
【００２１】
ライブカメラデータベース５０は、多数あるライブカメラ４０の所在と稼動状況（サービスの提供中又は停止中）を把握しており、サーバ装置３０からライブカメラ４０への接続要求があると適切なものについての情報をサーバ装置３０に出力する。
【００２２】
コンテンツサーバ６０は、画像、音声、写真、及び動画等の情報からなるコンテンツを保有しており、コンテンツは分類されて格納されている。分類としては、宿泊、観光スポット、飲食、交通等の項目がある。また、コンテンツの内容についてはサーバ装置３０の管理者によって保守管理される。コンテンツサーバ６０は、ユーザ端末装置１０から入力される情報に基づいてサーバ装置３０からコンテンツの転送要求があり、条件に該当するものがあるときはサーバ装置３０に転送する。
【００２３】
図２は、本発明の第１の実施の形態に係る擬似旅行の出発地および行き先入力画面を示す概略図である。ユーザ端末装置１０を操作してサーバ装置３０に接続し、擬似旅行プログラムを実行することにより、擬似旅行の出発地および行き先についての入力を行う表示画面１８Ａが表示される。ここでは地図画像１８２として世界地図の一部が表示されているが、地図の表示領域についてはユーザ側の操作によって任意に指定することができる。表示画面１８Ａには、出発地表示１８０と、目的地表示１８１と、地図画像１８２上に表示される出発地マーク１８０Ａと目的地マーク１８１Ａとが表示される。ここでは出発地として「東京」が入力されており、目的地として「カイロ」が入力されている。
【００２４】
図３は、本発明の第１の実施の形態に係る擬似旅行の動作についてのフローチャートである。以下の説明では、ユーザ端末装置１０としてＰＣを用いる場合を説明する。まず、ユーザは、ユーザ端末装置１０を操作してサーバ装置３０に接続し、ユーザ入力画面でユーザ名とパスワード等の接続情報を入力して認証処理を行う。認証が正常に行われると擬似旅行サービスにログインできる（Ｓ１）。
【００２５】
次に、ユーザは擬似旅行サービスの開始に基づいて表示部１８に表示される表示画面１８Ａに対し、ユーザ端末装置１０の入力部１１を操作して出発地表示１８０の領域を指定し、出発地名を入力する（Ｓ２）。この操作に基づいて地図画像１８２上には出発地マーク１８０Ａと目的地マーク１８１Ａとが表示される。
【００２６】
サーバ装置３０は、インプットされた出発地と目的地の情報を基に、その間にある国名や地域名を検索する（Ｓ３）。次に、その国名や地域名に関係するコンテンツやライブ映像のサイトをライブカメラデータベース５０やコンテンツサーバ６０に対して検索し、一覧を表示する（Ｓ４）。そして、ユーザからの選択操作に合わせて、出発地（東京）に近いコンテンツサイトへ接続し、コンテンツをユーザ端末装置１０へ送信する。なお、サーバ装置３０で検索を実行させることに代えて、ユーザ端末装置１０の行程検索部１５でコンテンツやライブ映像の検索条件を設定し、ネットワーク２０を介してサーバ装置３０に送信するようにしても良い。
【００２７】
次に、サーバ装置３０は、利用者からの操作に合わせ、出発地側のコンテンツを提供するコンテンツサイトから順次コンテンツサイトを切り替え、最終的に目的地のコンテンツサイトのコンテンツをユーザに送信させる（Ｓ５）。
【００２８】
なお、上記した擬似旅行サービスでは、出発地と目的地の情報の他に、中間地（仮想的に途中で立ち寄る場所）を入力することもできる。この場合には、図２に示す表示画面１８Ａが表示されている状態で、キーボードに設けられる所定のファンクションキー（例えば、Ｆ１２）を押すことにより、中間地表示が画面上に出現する。この状態で中間地を入力することにより出発地から中間地にかけての国名や地域名を検索し、関連するサイトを検索してコンテンツサイトを提供する。さらに中間地−目的地の間でも同様な処理が行われる。ここで、中間地の数は１つとは限らず、複数の中間地を入力することもできる。
【００２９】
図４は、本発明の第１の実施の形態に係る複数の交通機関を選択可能な場合における擬似旅行サービスの表示画面を示す図である。この場合、ユーザが出発地の情報と目的地の情報をインプットした後、複数の交通機関が選択可能である場合には図示する表示画面１８Ａが表示される。ここでは、出発地「東京都」、目的地「福岡県」に対する交通機関として、飛行機を示す飛行機ルートマーク１８３Ａ、新幹線を示す新幹線ルートマーク１８３Ｂ、自動車を示す自動車ルートマーク１８３Ｃが表示されている。
【００３０】
図５は、本発明の第１の実施の形態に係る複数の交通機関を選択可能な場合における擬似旅行サービスの動作についてのフローチャートである。ここで、サーバ装置３０に対するログイン操作（Ｓ１０）および出発地および目的地の入力（Ｓ２）については、図３で説明したものと同様であるので説明を省力する。出発地および目的地の入力情報から、利用可能な交通機関が複数あると判断されると、サーバ装置３０は、ユーザ端末装置１０の表示部１８に図４に示す表示画面を表示する。ユーザは、表示画面１８Ａに表示された複数の交通機関から該当するマークを選択する（Ｓ１２）。
【００３１】
サーバ装置３０は、インプットされた出発地と目的地の情報、および交通機関を基に、その間にある地域名に関係するコンテンツやライブ映像のサイトをライブカメラデータベース５０やコンテンツサーバ６０に対して検索し、一覧を表示する（Ｓ１３）。そして、ユーザからの選択操作に合わせて、出発地（東京）に近いコンテンツサイトへ接続し、コンテンツをユーザ端末装置１０へ送信する。そして、利用者からの操作に合わせ、出発地側のコンテンツを提供するコンテンツサイトから順次コンテンツサイトを切り替え、最終的に目的地のコンテンツサイトのコンテンツをユーザに送信させる（Ｓ１４）。
【００３２】
図６は、本発明の第１の実施の形態に係るスケジュールを設定する場合の擬似旅行サービスの表示画面を示す図である。擬似旅行サービスのユーザは、出発地の情報と目的地の情報を入力した後、スケジュールを登録することができる。図２に示す表示画面１８Ａが表示されている状態で、キーボードに設けられる所定のファンクションキー（例えば、Ｆ１１）を押すことにより、カレンダ表示１８４が画面上に出現する。ここで、スケジュールの設定として、例えば、出発地が東京で目的地がカイロと入力し、旅行に出かける日を８月７日と登録したとすると、８月７日の部分に出発日メモ１８５として「カイロへ旅行」が表示される。この出発日メモ１８５の表示内容については任意に変更することができる。サーバ装置３０は、出発地と目的地の間にある地域名を検索し、更に登録日に関係する時期特有のコンテンツサイトを検索する。そしてユーザからの操作に合せて、出発地に近いコンテンツサイトから順次目的地までのコンテンツサイトを提供していく。この「時期特有のコンテンツサイト」とは、例えば、その地域で８月に夏祭りがあった場合、その夏祭りの写真や動画のコンテンツを示す。
【００３３】
（サーバ装置３０を介して供給される他のコンテンツ）
上記した説明は、ユーザが個人的に擬似旅行を実施する場合であるが、例えば、旅行会社等で特定のユーザへのイベント、デモンストレーション用に擬似旅行サービスを提供することもできる。
【００３４】
この場合、上記した手順で様々なコンテンツを出発地から目的地にかけて表示させるのは煩雑となることから、擬似旅行サービスを提供する旅行会社等のコンテンツ提供者によって予め複数のコンテンツを時系列に配置してナレーション等を付加したデモコンテンツをコンテンツサーバ６０に格納しておき、イベント会場等で指定された出発地および目的地に対応したデモコンテンツを呼び出して表示させることで、イベント参加者に擬似旅行サービスを提供できる。
【００３５】
（第１の実施の形態の効果）
上記した第１の実施の形態によると、出発地と目的地の入力をもとにネットワーク上にあるサイトの情報や、コンテンツサーバ６０のコンテンツ、ライブカメラ４０のライブ映像を旅行が経過するのと同じようにサーバ装置３０からユーザ端末装置１０に出力することによって、ユーザは表示部１８に表示される画像等のコンテンツを閲覧しつつ、自宅等に居ながらにして旅行に出たかのような擬似旅行を体験することができる。
【００３６】
（第２の実施の形態）
図７は、本発明の第２の実施の形態に係る擬似旅行体験システムを示すブロック図である。
【００３７】
（コンテンツ転送システムの構成）
この擬似旅行体験システム２は、第１の実施の形態で説明した擬似旅行体験システム１と基本的に同一であるが、ネットワーク２０に接続されたユーザ端末装置７０とリアルタイムで双方向通信が可能である構成において第１の実施の形態と相違している。なお、ユーザ端末装置７０は、ユーザ端末装置１０と同様に形成されており、ユーザの音声を入力するマイクロホン、及び音声出力用のスピーカ等の音声入出力部と、ユーザの姿を撮影するためのカメラ部とを図示しない構成として有している。
【００３８】
このような双方向通信機能を有した擬似旅行サービスでは、第１の実施の形態で説明した擬似旅行体験に実体験を同期させることが可能になる。以下に、居住地の離れている祖父のもとへ孫が擬似旅行するサービスについて説明する。
【００３９】
図８は、第２の実施の形態において双方向通信機能を確立させるための設定を示す図である。ここでは擬似旅行の形態が祖父宅への訪問であるので、孫側を訪問者側、祖父側を訪問先側とする。まず、訪問者側では、ユーザ端末装置１０を操作してサーバ装置３０に接続し、双方向通信機能を有する擬似旅行サービスを選択する。サーバ装置３０は、双方向通信機能を有する擬似旅行サービスが選択されると、訪問先のユーザについての入力画面をユーザ端末装置１０の表示部１８に表示させる。訪問者側のユーザは、入力画面に表示される訪問先のＵＲＬ、訪問日、時間等の入力項目について入力する（Ｓ２０）。
【００４０】
入力が完了するとサーバ装置３０に入力項目が送信されて格納されるとともに、訪問先のユーザ端末装置７０に訪問者からの要求が電子メールで送信される（Ｓ２１）。なお、訪問先への通知は、電子メール以外の他の方法で行うことも可能である。
【００４１】
（擬似旅行サービスの開始）
図９は、本発明の第２の実施の形態に係る双方向通信機能を有する擬似旅行サービスの処理を示すフローチャートである。まず、訪問者側は擬似旅行サービスの開始時間にユーザ端末装置１０を操作して擬似旅行サービスの出発操作を行う（Ｓ３０）。この出発操作が実行されると、ユーザ端末装置１０からユーザ端末装置７０に対して出発の通知が電子メールで送信される（S３１）。訪問先では、ユーザ端末装置１０から送信された電子メールによる出発通知をサーバ装置３０を介して受信する（Ｓ３２）。
【００４２】
次に、訪問者側では、訪問先への交通機関が複数の選択肢を有するとき、移動方法の選択を行う（Ｓ３３）。この操作は図５で説明したように表示部１８の表示画面１８Ａに複数表示される交通機関から選択することができる。
【００４３】
サーバ装置３０は、訪問者によって交通機関が選択されると、その交通機関による出発地から目的地までの経路に関連するコンテンツをコンテンツサーバ６０やライブカメラ４０から入力し、ユーザ端末装置１０の表示部１８に一覧表示させる（Ｓ３４）。訪問者は、一覧からコンテンツを選択することにより、選択されたコンテンツが出発地から目的地にかけて順次表示される（Ｓ３５）。
【００４４】
サーバ装置３０は、ユーザ端末装置１０に対してコンテンツを送信しながら、その経過について訪問先のユーザ端末装置７０に途中位置として訪問者の位置を報告する（Ｓ３６）。
【００４５】
次に、訪問者が訪問先に到着すると（Ｓ３７）、ユーザ端末装置７０に到着通知が送信される（Ｓ３８）。ここでは、孫が祖父の住む町の最寄り駅についたものとする。ユーザ端末装置７０で祖父が訪問者からの到着通知を受け入れると（Ｓ３９）、ユーザ端末装置１０側の孫とユーザ端末装置７０側の祖父との間でテレビ電話サービスによる双方向通信が開始される。
【００４６】
（第２の実施の形態の効果）
上記した第２の実施の形態によると、第１の実施の形態で説明した擬似旅行サービスに双方向通信機能を付加することによって、第１の実施の形態の好ましい効果に加えてより実際的な擬似旅行サービスを提供できる。また、安全面や費用面で現実化しにくいような内容の旅行であっても擬似体験サービスとして提供できることから、第２の実施の形態で説明したようなコミュニケーションの方法に限定されず、旅行を計画するうえでのシミュレーションツールとして活用することができる。
【００４７】
なお、本発明は、上記した各実施の形態に限定されず、本発明の技術思想を逸脱あるいは変更しない範囲内で種々な組み合わせ、変形が可能である。
【図面の簡単な説明】
【００４８】
【図１】本発明の第１の実施の形態に係る擬似旅行体験システムを示すブロック図である。
【図２】本発明の第１の実施の形態に係る擬似旅行の出発地および行き先入力画面を示す概略図である。
【図３】本発明の第１の実施の形態に係る擬似旅行の動作についてのフローチャートである。
【図４】本発明の第１の実施の形態に係る複数の交通機関を選択可能な場合における擬似旅行サービスの表示画面を示す図である。
【図５】本発明の第１の実施の形態に係る複数の交通機関を選択可能な場合における擬似旅行サービスの動作についてのフローチャートである。
【図６】本発明の第１の実施の形態に係るスケジュールを設定する場合の擬似旅行サービスの表示画面を示す図である。
【図７】本発明の第２の実施の形態に係る擬似旅行体験システムを示すブロック図である。
【図８】本発明の第２の実施の形態において双方向通信機能を確立させるための設定を示す図である。
【図９】本発明の第２の実施の形態に係る双方向通信機能を有する擬似旅行サービスの処理を示すフローチャートである。
【符号の説明】
【００４９】
１…擬似旅行体験システム、２…擬似旅行体験システム、１０…ユーザ端末装置、１１…入力部、１２…音声入出力部、１３…カメラ部、１４…スケジュール設定部、１５…行程検索部、１６…通信部、１７…記憶部、１８…表示部、１８Ａ…表示画面、２０…ネットワーク、３０…サーバ装置、４０…ライブカメラ、５０…ライブカメラデータベース、６０…コンテンツサーバ、７０…ユーザ端末装置、１８０…出発地表示、１８０Ａ…出発地マーク、１８１…目的地表示、１８１Ａ…目的地マーク、１８２…地図画像、１８３Ａ…飛行機ルートマーク、１８３Ｂ…新幹線ルートマーク、１８３Ｃ…自動車ルートマーク、１８４…カレンダ表示、１８５…出発日メモ
【図１】
2007156562.tif 000003
【図２】
2007156562.tif 000004
【図３】
2007156562.tif 000005
【図４】
2007156562.tif 000006
【図５】
2007156562.tif 000007
【図６】
2007156562.tif 000008
【図７】
2007156562.tif 000009
【図８】
2007156562.tif 000010
【図９】
2007156562.tif 000011